(57)【要約】【課題】無線信号を送信又は受信できない理由をユーザが簡単かつ正確に判別できるようにして、装置を設置又は調整する際の利便性を高める。【解決手段】装置本体ユニットＲＵからアンテナユニットＡＵに対し、テレビジョン受信信号を伝送する信号ケーブル９を介してバスリセットパルスを送信し、このバスリセットパルスに対するプレゼンスパルスの応答を制御部８で検出し、その検出結果を表示する。また、上記バスリセットパルスの送信とプレゼンスパルスの受信を、アンテナユニットＡＵに設けられたチューニング高周波回路２を装置本体ユニットＲＵの制御部８から制御するために設けられている、１線式双方向ベースバンド通信方式を採用した既存の制御信号通信手段（第１及び第２の通信インタフェース６，７）を利用して行う。【選択図】      図１
2007267075.tif 000002
【特許請求の範囲】
【請求項１】
アンテナ部と装置本体部との間を信号ケーブルを介して接続し、前記アンテナ部が送信又は受信する無線信号を前記アンテナ部と装置本体部との間で前記信号ケーブルを介して伝送する無線装置において、
前記アンテナ部と前記装置本体部との間で、前記無線信号とは異なる通信信号を前記信号ケーブルを介して伝送するための通信手段と、
前記通信手段による前記通信信号の伝送状態を監視し、その監視結果に基づいて前記アンテナ部と前記装置本体部との間の障害を検出する障害検出手段と、
前記障害検出手段による検出結果をユーザに提示する提示手段と
を具備することを特徴とする無線装置。
【請求項２】
前記アンテナ部が動作状態を制御可能なチューナブル高周波回路を備え、前記装置本体部が前記チューナブル高周波回路の動作状態を制御する制御信号を発生する第１の制御回路を備える場合に、
前記通信手段は、前記第１の制御回路により発生された第１の制御信号を前記通信信号として前記信号ケーブルを介して前記チューナブル高周波回路へ伝送し、
前記障害判定手段は、前記制御信号の伝送状態を監視し、その監視結果に基づいて前記アンテナ部と前記装置本体部との間の障害を検出することを特徴とする請求項１記載の無線装置。
【請求項３】
前記アンテナ部が複数のアンテナユニットを備え、これらのアンテナユニットがそれぞれ異なる信号ケーブルを介して前記装置本体部に接続されている場合に、
前記通信手段は、前記複数のアンテナユニットと前記装置本体部との間で、前記通信信号を前記異なる信号ケーブルを介してそれぞれ伝送し、
前記障害検出手段は、前記通信手段により前記異なる信号ケーブルを介して伝送される前記通信信号の伝送状態をそれぞれ監視し、その監視結果に基づいて前記複数のアンテナユニットと前記装置本体部との間の障害を個別に検出することを特徴とする請求項１記載の無線装置。
【請求項４】
前記障害検出手段により、前記複数のアンテナユニットのうちの一部のユニットと前記装置本体部との間の障害が検出された場合に、当該障害が検出されたアンテナユニットを前記無線信号の送信又受信対象から切り離す手段とを、さらに具備することを特徴とする請求項３記載の無線装置。
【請求項５】
前記通信手段は、前記アンテナ部及び装置本体部にそれぞれ設けられる第１及び第２の１線式通信インタフェース回路を備え、
前記第１及び第２の１線式通信インタフェース回路は、
前記通信信号を前記無線信号に対し分離可能な信号形態に変換したのち前記信号ケーブルへ送出する手段と、
前記信号ケーブルを介して伝送された通信信号を前記無線信号から分離して受信する手段と
を有することを特徴とする請求項１乃至４のいずれかに記載の無線装置。
【発明の詳細な説明】
【技術分野】
【０００１】
この発明は、例えばテレビジョン受信装置のように、アンテナ部と装置本体部との間を同軸ケーブル等の信号ケーブルを介して接続するようにした無線装置に関する。
【背景技術】
【０００２】
一般にテレビジョン放送受信装置は、アンテナ部と、受信回路や画像処理回路、表示器などが内蔵された装置本体部とから構成される。そして、据置型の場合には、装置本体部は屋内に、アンテナ部は屋外にそれぞれ設置され、これらの間は同軸ケーブル等の信号ケーブルを介して接続される。また車載型の場合にも、装置本体部は車内に、アンテナ部は車外の屋根などにそれぞれ設置され、これらの間は信号ケーブルにより接続される。このように、アンテナ部を屋外又は車外に設置することで受信感度を高く保つことができる（例えば、特許文献１を参照。）。
【特許文献１】特開平５−１６１１４０号公報
【発明の開示】
【発明が解決しようとする課題】
【０００３】
ところが、アンテナ部の設置状態によっては所望の受信感度が得られず、特に地上ディジタル放送の場合にはまったく受信できなくなることがある。これは、受信装置をユーザ自ら設置する場合に特に発生しやすい。このような場合ユーザは、放送を受信できない理由が、アンテナ部の設置状態等に起因する受信不良によるものか、或いはアンテナ部と装置本体部との間の配線接続が正しく行われていないことによるものかを判別することができない。
【０００４】
この発明は上記事情に着目してなされたもので、その目的とするところは、無線信号を送信又は受信できない理由をユーザが簡単かつ正確に判別できるようにして、装置を設置又は調整する際の利便性を高めた無線装置を提供することにある。
【課題を解決するための手段】
【０００５】
上記目的を達成するためにこの発明の一観点は、アンテナ部と装置本体部との間を信号ケーブルを介して接続し、上記アンテナ部が送信又は受信する無線信号をアンテナ部と装置本体部との間で上記信号ケーブルを介して伝送する無線装置において、上記アンテナ部と上記装置本体部との間で上記無線信号とは異なる通信信号を上記信号ケーブルを介して伝送する通信手段と、この通信手段を利用した障害検出手段を新たに設ける。そして、この障害検出手段により、上記通信信号の伝送状態を監視してその監視結果をもとに上記アンテナ部と上記装置本体部との間の障害を検出し、その検出結果をユーザに提示するようにしたものである。
【発明の効果】
【０００６】
したがってこの発明によれば、無線信号と共に同一の信号ケーブルを介して伝送される通信信号の伝送状態からアンテナ部と装置本体部との間の障害が検出され、その結果がユーザに提示される。したがって、ユーザは上記提示された情報をもとにアンテナ部と装置本体部との間の障害の有無を判断することができる。例えば、放送を受信できない場合に、通信信号が伝送されていなければアンテナ部と装置本体部との間に接続障害が発生している可能性があると判断できる。これに対し、通信信号が伝送されている場合にはアンテナ部と装置本体部との間には障害が無く、アンテナ部に障害が発生している可能性があると判断できる。  
すなわちこの発明によれば、無線信号を送信又は受信できない理由をユーザが簡単かつ正確に判別できるようにして、装置を設置又は調整する際の利便性を高めた無線装置を提供することができる。
【発明を実施するための最良の形態】
【０００７】
以下、図面を参照してこの発明の実施形態を説明する。  
（第１の実施形態）  
図１は、この発明に係わる無線装置の第１の実施形態であるテレビジョン放送受信装置の要部構成を示すブロック図である。  
この実施形態のテレビジョン放送受信装置は、例えば車内に設置される装置本体ユニットＲＵと、車外の屋根に設置されるアンテナユニットＡＵとの間を、同軸ケーブルからなる信号ケーブル９を介して接続したものである。
【０００８】
アンテナユニットＡＵは、アンテナ１と、チューナブル高周波回路２とを備えている。このうちチューナブル高周波回路２は、チューナブル整合回路、チューナブルフィルタ回路及び低雑音増幅器（ＬＮＡ；Low Noise Amplifier）を集積回路化したものからなる。チューナブル整合回路及びチューナブルフィルタ回路はそれぞれ、後述する装置本体ユニットＲＵから送られる制御信号によりアンテナ１との間の整合インピーダンス及び受信通過帯域特性が可変制御される。チューナブル高周波回路２は、上記アンテナ１により受信された無線信号を、上記受信通過帯域特性に従い不要波成分を除去し、さらにＬＮＡにより増幅したのち、信号ケーブル９へ送信する。
【０００９】
一方、装置本体ユニットＲＵは、チューナ３と、復調器４と、ビデオ／オーディオデコーダ５と、マイクロコンピュータからなる制御部８とを備えている。チューナ３は、制御部８から与えられるチャネル選択用の制御信号に従い、アンテナユニットから信号ケーブル９を介して送られた無線（ＲＦ；Radio frequency）信号から受信対象チャネルに対応する信号を選択的に受信する。復調器４は、上記制御部８から与えられる復調方式に従い、上記チューナ３から出力される受信信号を復調して受信ベースバンド信号を出力する。ビデオ／オーディオデコーダ５は、上記制御部８から与えられる復号パラメータに従い、上記受信ベースバンド信号に含まれるビデオデータ及びオーディオデータを復号し、復号されたビデオ信号及びオーディオ信号をそれぞれ図示しない表示デバイス及びスピーカへ出力する。
【００１０】
また、上記アンテナユニットＡＵ及び装置本体ユニットＲＵには、それぞれ第１及び第２の通信インタフェース６，７が設けられている。これら第１及び第２の通信インタフェース６，７は、上記制御部８から出力される制御信号を信号ケーブル９を使用してアンテナユニットＡＵへ伝送するために使用するもので、通信方式としては１線式双方向ベースバンド通信方式が使用される。１線式双方向ベースバンド通信方式は、送信対象の信号を所定のフォーマットの双方向シリアル信号に変換して信号ケーブル９へ重畳する。１線式双方向ベースバンド通信方式を採用することで、アンテナユニットＡＵと装置本体ユニットＲＵとの間に新たな制御線を追加することなく、装置本体ユニットＲＵからアンテナユニットＡＵのチューナブル高周波回路２を遠隔制御することができる。
【００１１】
１線式双方向ベースバンド通信方式を採用した通信インタフェースとしては、例えばダラスセミコンダクタ社の１−Ｗｉｒｅ（登録商標）インタフェースが使用される。この１−Ｗｉｒｅインタフェースの詳細については、Ｍａｘｉｍ社のホームページwww.maxim-ic.comに述べられている。
【００１２】
なお、Ｃ１，Ｃ２はブロッキングコンデンサであり、装置本体ユニットＲＵの通信インタフェース７から信号ケーブル９を介してアンテナユニットＡＵの第１の通信インタフェース６に供給される直流電圧がチューナブル高周波回路２及びチューナ３の信号ラインに供給されないようにする。また、図１では図示していないが、第１及び第２の通信インタフェース６，７と信号ケーブル９との間にはチョークコイルが介挿され、これにより第１及び第２の通信インタフェース６，７は信号ケーブル９から高周波的に分離されるようになっている。
【００１３】
ところで、この実施形態の受信装置は、上記制御信号の通信手段を利用した障害検出手段を備えている。この障害検出手段は、制御部８において、上記第１及び第２の通信インタフェース６，７間で上記制御信号の伝送が正常に行われているか否かを監視することにより、アンテナユニットＡＵと装置値本体ユニットＲＵとの間の接続障害等を判定する。そして、この接続障害の判定結果を図示しない表示デバイスに表示する。
【００１４】
次に、以上のように構成されたテレビジョン放送受信装置の動作を説明する。図２は制御部８による障害検出処理の手順と内容を示すフローチャートである。  
装置の電源を投入してテレビジョン放送の受信動作を開始する際に、制御部８からアンテナユニットＡＵのチューナブル高周波回路２に向け制御信号が送信されるが、このとき制御部８は先ずステップＳ２１により第２の通信インタフェース７に対しバスリセットパルスの発生を指示する。この結果、装置本体ユニットＲＵの第２の通信インタフェース７からは図３（ａ）に示すようにバスリセットパルスが発生され、このバスリセットパルスは信号ケーブル９を介してアンテナユニットＡＵの第１の通信インタフェース６へ転送される。
【００１５】
第１の通信インタフェース６は、上記バスリセットパルスを正常に受信すると、図３（ａ）に示すようにプレゼンスパルスを返送する。このプレゼンスパルスは通信ケーブル９を介して第２の通信インタフェース７に転送される。第２の通信インタフェース７は、上記プレゼンスパルスを受信するとその旨を制御部８に通知する。
【００１６】
制御部８は、ステップＳ２２において上記プレゼンスパルスの応答の有無を監視する。そして、プレゼンスパルスの応答を検出すると、アンテナユニットＡＵと装置本体ユニットＲＵとの間は正常に接続されていると判断し、ステップＳ２３に移行してその旨のメッセージ、例えば「アンテナ−装置本体間接続ＯＫ」を生成して、このＯＫメッセージを表示デバイスに表示させる。したがってユーザは、上記ＯＫメッセージにより、アンテナユニットＡＵと装置本体ユニットＲＵとの間が正常に接続されていることを確認できる。
【００１７】
またこのとき、上記ＯＫメッセージが表示されたにもかかわらず、一定時間が経過してもテレビジョン映像が表示デバイスに表示されなかったとする。そうすると制御部８は、アンテナユニットＡＵに受信障害があると判断し、その旨のメッセージを表示デバイスに表示させる。したがって、この場合ユーザは、テレビジョン映像が表示されない理由が、アンテナユニットＡＵの設置が正しくなされていないか、又は放送電波を受信できない場所にいるからであると認識することができ、これによりアンテナユニットＡＵを設置し直すか又は電波を受信可能な場所に移動すると云った対策を、迅速かつ適切に講じることができる。
【００１８】
一方、上記ステップＳ２２による判定において、例えば図３（ｂ）に示すようにバスリセットパルスの送信後一定時間以内にプレゼンスパルスの応答を検出できなかったとする。この場合制御部８は、アンテナユニットＡＵと装置本体ユニットＲＵとの間に接続障害があると判断し、ステップＳ２４に移行してその旨のメッセージ、例えば「アンテナ−装置本体間接続ＮＧ」を生成して、このＮＧメッセージを表示デバイスに表示させる。したがってユーザは、上記ＮＧメッセージにより、アンテナユニットＡＵと装置本体ユニットＲＵとの間が正常に接続されていないと認識し、これにより接続ケーブル９の再接続を行うといった適切な対応を即時講じることができる。
【００１９】
以上述べたように第１の実施形態では、装置本体ユニットＲＵからアンテナユニットＡＵに対し、テレビジョン受信信号を伝送する信号ケーブル９を介してバスリセットパルスを送信し、このバスリセットパルスに対するプレゼンスパルスの応答を制御部８で検出して、その検出結果を表示デバイスに表示するようにしている。このためユーザは、アンテナユニットＡＵと装置本体ユニットＲＵとの間が正常に接続されているか否かを明確に知ることが可能となる。
【００２０】
しかも、上記バスリセットパルスの送信とプレゼンスパルスの受信を、アンテナユニットＡＵに設けられたチューニング高周波回路２を装置本体ユニットＲＵの制御部８から制御するために設けられている、１線式双方向ベースバンド通信方式を採用した既存の制御信号通信手段（第１及び第２の通信インタフェース６，７）を利用して行っている。このため、上記接続障害の検出のために専用の通信手段を新たに設ける必要がなく、これにより本発明を簡易かつ安価に実現できる利点がある。
【００２１】
（第２の実施形態）  
この発明の第２の実施形態は、複数のアンテナユニット（アンテナブランチ）を備え、これらのアンテナユニットによる放送受信信号を切替又は合成することにより受信品質を高める受信ダイバーシチ方式を採用したテレビジョン放送受信装置において、各アンテナユニットと装置本体ユニットとの間の接続障害をそれぞれ検出して表示すると共に、接続障害が検出されたアンテナブランチを切り離すように制御するようにしたものである。
【００２２】
図４は、この発明に係わる無線装置の第２の実施形態であるダイバーシチ式テレビジョン放送受信装置の構成を示すブロック図である。  
この実施形態のテレビジョン放送受信装置は、車両の屋根に第１及び第２のアンテナユニットＡＡＵ，ＡＢＵを一定の距離を隔てて配設すると共に、車内に装置本体ユニットＲＤＵを設置する。そして、上記各アンテナユニットＡＡＵ，ＡＢＵと装置本体ユニットＲＤＵとの間をそれぞれ、個別に同軸ケーブル等の信号ケーブル９Ａ，９Ｂを介して接続したものである。
【００２３】
第１のアンテナユニットＡＡＵは、アンテナ１Ａと、チューナ３Ａとを備え、同様に第２のアンテナユニットＡＢＵは、アンテナ１Ｂと、チューナ３Ｂとを備えている。このうちチューナ３Ａ，３Ｂは、集積回路化されたいわゆるシリコンチューナからなり、後述する装置本体ユニットＲＤＵの制御部８０から与えられる制御信号に従い受信対象チャネルの無線信号を選択的に受信して、中間周波数（ＩＦ；Intermediate Frequency）からなる受信信号を信号ケーブル９Ａ，９Ｂへ出力する。
【００２４】
装置本体ユニットＲＤＵは、復調器４０と、ビデオ／オーディオデコーダ５０と、マイクロコンピュータからなる制御部８０とを備える。復調器４０は、上記制御部８０から与えられる復調方式に従い、上記各アンテナユニットＡＡＵ，ＡＢＵのチューナ３Ａ，３Ｂから信号ケーブル９Ａ，９Ｂを介して送られる中間周波数の放送受信信号をそれぞれ復調し、さらにこの各復調信号を制御部８０からの指示に従い切替又は合成して、受信ベースバンド信号を出力する。ビデオ／オーディオデコーダ５は、上記制御部８から与えられる復号パラメータに従い、上記受信ベースバンド信号に含まれるビデオデータ及びオーディオデータを復号し、この復号により再生されたビデオ信号及びオーディオ信号をそれぞれ図示しない表示デバイス及びスピーカへ出力する。
【００２５】
また、上記各アンテナユニットＡＡＵ，ＡＢＵにはそれぞれ第１の通信インタフェース６Ａ，６Ｂが設けられ、かつ装置本体ユニットＲＤＵには第２の通信インタフェース７０が設けられている。これら第１の通信インタフェース６Ａ，６Ｂ及び第２の通信インタフェース７０は、上記制御部８０から出力される制御信号を信号ケーブル９Ａ，９Ｂを介してアンテナユニットＡＡＵ，ＡＢＵへそれぞれ伝送するために使用するもので、通信方式としては前記第１の実施形態と同様に１−Ｗｉｒｅインタフェースからなる１線式双方向ベースバンド通信方式が使用される。
【００２６】
図５は、信号ケーブル９Ａ，９Ｂに対する上記第１の通信インタフェース６Ａ，６Ｂ及び第２の通信インタフェース７０の接続構成の一例を示すものである。なお、同図では通信インタフェース６Ａ，６Ｂのうち一方６Ａの接続構成のみを示し、他方６Ｂについては図示の簡単のため省略している。
【００２７】
第１の通信インタフェース６ＡはＩ２ＣバスブリッジＩＣ（Integrated Circuit）により構成される。このＩ２ＣバスブリッジＩＣのＩ２Ｃバス信号端子及びクロック端子はチューナ３Ａに接続され、これによりＩ２ＣバスブリッジＩＣからチューナ３Ａに対し制御信号（データ信号）及びクロック信号が供給される。また、Ｉ２ＣバスブリッジＩＣの１−Ｗｉｒｅ信号端子はチョークコイルＬＡ１を介して信号ケーブル９Ａに接続され、これにより信号ケーブル９Ａとの間で１−Ｗｉｒｅ信号の送受信を行う。チョークコイルＬＡ１は、通信インタフェース６Ａ，６Ｂと信号ケーブル９Ａ，９Ｂとを高周波的に分離することで信号ケーブルの高周波特性を悪化させないようにするためのものである。
【００２８】
一方、第２の通信インタフェース７０もＩ２ＣバスブリッジＩＣからなる。このＩ２ＣバスブリッジＩＣのＩ２Ｃバス信号端子及びクロック端子は制御部８０に接続され、これにより制御部８０との間で制御信号及びクロック信号の送受信が行われる。また、Ｉ２ＣバスブリッジＩＣの１−Ｗｉｒｅ信号端子は、チョークコイルＬＡ２を介して信号ケーブル９Ａに接続される。これにより通信インタフェース７０と信号ケーブル９Ａとを高周波的に分離して信号ケーブルの高周波特性を劣化させないようにしている。これは、通信インタフェース７０と信号ケーブル９Ｂとの間についても同様である。また１−Ｗｉｒｅ信号端子はプルアップ抵抗ＲＰ３によりプルアップされている。このプルアップ抵抗ＲＰ３は１−Ｗｉｒｅ信号の直流信号レベルを規定する。なお、信号ケーブル９Ａとチューナ３Ａ及び復調器４０との間にはブロッキングコンデンサＣＡ１，ＣＡ２が介挿されているので、チューナ３Ａ及び復調器４０は上記プルアップ抵抗ＲＰ３により規定された直流電圧の影響を受けない。
【００２９】
なお、装置本体ユニットＲＤＵでは、上記ブロッキングコンデンサＣＡ２と復調器４０との間にバイアス回路１０が接続されている。バイアス回路１０は復調器４０に対し最適な直流電圧レベルを与えるもので、例えば図６に示すように電源電圧をバイアス抵抗Ｒ１１，Ｒ１２により１／２に分圧してバイアス電圧を生成し、このバイアス電圧をチョークコイルＬ１０を介して復調器４０に供給する。なお、Ｃ１０はデカップリングコンデンサである。
【００３０】
次に、以上のように構成されたテレビジョン放送受信装置の動作を説明する。図７は制御部８０による障害検出処理の手順と内容を示すフローチャートである。  
装置の電源を投入してテレビジョン放送の受信動作を開始する際に、制御部８０からアンテナユニットＡＡＵ，ＡＢＵのチューナ３Ａ，３Ｂに向けチャネル制御信号が送信されるが、このとき制御部８０は先ずステップＳ７１により第２の通信インタフェース７０に対しバスリセットパルスの発生を指示する。この結果、装置本体ユニットＲＤＵの第２の通信インタフェース７０からは、図３（ａ）に示したようにバスリセットパルスが発生され、このバスリセットパルスは信号ケーブル９Ａ，９Ｂを介してアンテナユニットＡＡＵ，ＡＢＵの第１の通信インタフェース６Ａ，６Ｂへそれぞれ転送される。
【００３１】
第１の通信インタフェース６Ａ，６Ｂはそれぞれ、上記バスリセットパルスを正常に受信すると、図３（ａ）に示すようにプレゼンスパルスを返送する。このプレゼンスパルスは通信ケーブル９Ａ，９Ｂを介して第２の通信インタフェース７０に転送される。第２の通信インタフェース７０は、上記プレゼンスパルスを受信するとその旨を制御部８０に通知する。
【００３２】
制御部８０は、ステップＳ７２においてアンテナユニットＡＡＵ，ＡＢＵごとに上記プレゼンスパルスの応答の有無を監視する。そして、プレゼンスパルスの応答を検出すると、アンテナユニットＡＡＵ，ＡＢＵと装置本体ユニットＲＤＵとの間はそれぞれ正常に接続されていると判断し、ステップＳ７３に移行してその旨のメッセージ、例えば「アンテナ−装置本体間接続ＯＫ」を生成して、このＯＫメッセージを表示デバイスに表示させる。したがってユーザは、上記ＯＫメッセージにより、アンテナユニットＡＡＵ，ＡＢＵと装置本体ユニットＲＤＵとの間がそれぞれ正常に接続されていることを確認できる。
【００３３】
またこのとき、上記ＯＫメッセージが表示されたにもかかわらず、一定時間が経過してもテレビジョン映像が表示デバイスにまったく表示されなかったとする。この場合制御部８０は、アンテナユニットＡＡＵ，ＡＢＵの両方に受信障害があると判断し、その旨のメッセージを表示デバイスに表示させる。したがって、ユーザは、テレビジョン映像が表示されない理由が、アンテナユニットＡＡＵ，ＡＢＵの設置が正しくなされていないか、又は放送電波を受信できない場所にいるからであると認識することができ、これによりアンテナユニットＡＡＵ，ＡＢＵを設置し直すか又は電波を受信可能な場所に移動すると云った対策を、迅速かつ適切に講じることができる。
【００３４】
一方、上記ステップＳ７２による判定において、信号ケーブル９Ａ，９Ｂの一方で、例えば図３（ｂ）に示したようにバスリセットパルスの送信後一定時間以内にプレゼンスパルスの応答を検出できなかったとする。この場合制御部８０は、アンテナユニットＡＡＵと装置本体ユニットＲＤＵとの間、又はアンテナユニットＡＢＵと装置本体ユニットＲＤＵとの間に接続障害があると判断し、ステップＳ７４に移行してその旨のメッセージ、例えば「アンテナ−装置本体間接続ＮＧ」を生成して、このＮＧメッセージを表示デバイスに表示させる。したがってユーザは、上記ＮＧメッセージにより、アンテナユニットＡＡＵ又はＡＢＵと装置本体ユニットＲＵとの間が正常に接続されていないと認識し、これにより接続ケーブル９Ａ又は９Ｂの再接続を行うといった適切な対応を即時講じることができる。
【００３５】
また、上記制御部８０は、上記ステップＳ７２により信号ケーブル９Ａ，９Ｂの一方でプレゼンスパルスの応答を検出できなかったとすると、ステップＳ７５に移行して、プレゼンスパルスの応答を検出できなかった側のアンテナブランチを受信対象から切り離す制御を行う。例えば、いま信号ケーブル９Ａにおいてプレゼンスパルスの応答が検出されなかったとすると、制御部８０はアンテナユニットＡＡＵの系列を切り離すための指示を復調器４０に与える。この結果、復調器４０ではアンテナユニットＡＡＵからの受信信号を除外し、アンテナユニットＡＢＵからの受信信号のみを復調してその復調信号をビデオ／オーディオデコーダ５０へ出力する。したがって、故障した系列のノイズ等が受信映像及び受信音声に悪影響を及ぼす不具合は防止される。
【００３６】
以上述べたように第２の実施形態では、装置本体ユニットＲＤＵから各アンテナユニットＡＡＵ，ＡＢＵに対しそれぞれ、テレビジョン受信信号を伝送する信号ケーブル９Ａ，９Ｂを介してバスリセットパルスを送信し、このバスリセットパルスに対するプレゼンスパルスの応答を制御部８０で検出し、その検出結果を表示デバイスに表示するようにしている。このためユーザは、アンテナユニットＡＡＵ，ＡＢＵと装置本体ユニットＲＤＵとの間が正常に接続されているか否かを明確に知ることが可能となる。
【００３７】
また、上記バスリセットパルスの送信とプレゼンスパルスの受信を、アンテナユニットＡＡＵ，ＡＢＵに設けられたチューナ３Ａ，３Ｂを装置本体ユニットＲＤＵの制御部８０から制御するために設けられている、１線式双方向ベースバンド通信方式を採用した既存の制御信号通信手段（第１及び第２の通信インタフェース６Ａ，６Ｂ及び７０）を利用して行っている。このため、上記接続障害の検出のために専用の通信手段を新たに設ける必要がなく、これにより簡易かつ安価に実現できる利点がある。
【００３８】
さらに、信号ケーブル９Ａ，９Ｂの一方でプレゼンスパルスの応答を検出できなかった場合に、このプレゼンスパルスの応答を検出できなかった側のアンテナブランチを受信対象から切り離すようにしている。このため、故障した系列のノイズ等が受信映像及び受信音声に悪影響を及ぼす不具合を防止することができる。
【００３９】
（その他の実施形態）  
前記第１及び第２の実施形態では、アンテナユニットと装置本体ユニットとの間で制御信号を伝送するための通信インタフェースとして１−Ｗｉｒｅインタフェースを使用した場合を例にとって説明したが、テキサスインスルメンツ社のＨＤＱインタフェース等、その他の通信インタフェースも使用可能である。
【００４０】
前記第１及び第２の実施形態では、テレビジョン放送受信装置を例にとって説明した。しかし、それに限らず、防災無線受信装置や、タクシー無線等の業務用無線装置にもこの発明は適用可能である。すなわち、受信専用の無線装置に限らず、送信専用の無線装置や、送信機能及び受信機能を備えた無線装置にも適用可能である。
【００４１】
その他、制御信号を利用した障害検出手段の構成や、障害検出処理の手順及び内容、障害検出に使用する信号の種類や構成、障害検出結果を表すメッセージの内容、当該メッセージをユーザに提示する提示手段の構成（表示のみに限らず音声メッセージにより提示してもよい）、信号ケーブル種類とその接続構成等についても、この発明の要旨を逸脱しない範囲で種々変形して実施できる。
【００４２】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、実施形態に示される全構成要素から幾つかの構成要素を削除してもよい。さらに、異なる各実施形態に亘る構成要素を適宜組み合せてもよい。
【図面の簡単な説明】
【００４３】
【図１】この発明に係わる無線装置の第１の実施形態であるテレビジョン放送受信装置の要部構成を示すブロック図。
【図２】図１に示したテレビジョン放送受信装置における故障検出処理の手順と処理内容を示すフローチャート。
【図３】図２に示した故障検出処理に使用される制御信号の一例を示すもので、（ａ）はアンテナ−装置本体間の接続が正常な場合を示し、（ｂ）はアンテナ−装置本体間の接続が異常な場合を示す。
【図４】この発明に係わる無線装置の第２の実施形態であるテレビジョン放送受信装置の要部構成を示すブロック図。
【図５】図４に示したテレビジョン放送受信装置における制御信号通信手段の構成を示す図。
【図６】図４に示したテレビジョン放送受信装置に設けられるバイアス回路の構成の一例を示す回路図。
【図７】図４に示したテレビジョン放送受信装置における故障検出処理の手順と処理内容を示すフローチャート。
【符号の説明】
【００４４】
ＡＵ，ＡＡＵ，ＡＢＵ…アンテナユニット、ＲＵ，ＲＤＵ…装置本体ユニット、１，１Ａ，１Ｂ…アンテナ、２…チューナブル高周波回路、３，３Ａ，３Ｂ…チューナ、４，４０…復調器、５，５０…ビデオ／オーディオデコーダ、６，６Ａ，６Ｂ…第１の通信インタフェース、７，７０…第２の通信インタフェース、８，８０…制御部、９，９Ａ，９Ｂ…信号ケーブル、１０…バイアス回路。
【図１】
2007267075.tif 000003
【図２】
2007267075.tif 000004
【図３】
2007267075.tif 000005
【図４】
2007267075.tif 000006
【図５】
2007267075.tif 000007
【図６】
2007267075.tif 000008
【図７】
2007267075.tif 000009